(57)【特許請求の範囲】
【請求項１】
車両用のＣＡＤデータを管理するＣＡＤデータ管理システムにおいて、車両の部品構成を管理するための部品管理データに部品識別番号を付与する部品識別番号付与手段と、この部品識別番号が付与された部品構成に対応したＣＡＤデータに図面識別番号を付与する図面識別番号付与手段と、上記図面識別番号が付与されたＣＡＤデータを記憶する記憶手段と、上記ＣＡＤデータの読出操作が行われた場合に上記記憶手段から上記図面識別番号が付与されたＣＡＤデータを読み出して表示手段に表示させる制御手段とを有し、上記図面識別番号付与手段は、図面識別番号が付与されたＣＡＤデータに含まれる部品構成と、部品識別番号が付与された部品管理データに含まれる部品構成とが一対一で対応しているか否かを示す識別子を上記図面識別番号に従属させて付与するように構成されたことを特徴とするＣＡＤデータ管理システム。
【請求項２】
上記図面識別番号付与手段は、ＣＡＤデータに含まれる部品構成と、部品管理データに含まれる部品構成とが一致している場合に、これらの構成部品が一致していることを示す識別子を付与するように構成されたことを特徴とする請求項１に記載のＣＡＤデータ管理システム。
【請求項３】
上記図面識別番号付与手段は、ＣＡＤデータに含まれる部品構成が、部品管理データに含まれる部品構成に対して余分な部品を含んでいる場合に、この余分な部品を含んでいることを示す識別子を付与するように構成されたことを特徴とする請求項１に記載のＣＡＤデータ管理システム。
【請求項４】
上記図面識別番号付与手段は、ＣＡＤデータに含まれる部品構成が、部品管理データに含まれる部品構成に対して不足部品を有している場合に、この不足部品を有していることを示す識別子を付与するように構成されたことを特徴とする請求項１に記載のＣＡＤデータ管理システム。
【請求項５】
上記余分な部品または不足部品が、ボルト、ナット、クリップ、グロメットまたはハーネス等の規格化された小物部品からなることを特徴とする請求項３または４に記載のＣＡＤデータ管理システム。
【請求項６】
上記図面識別番号付与手段は、ＣＡＤデータに含まれる部品構成と、部品管理データに含まれる部品構成とが一致し、かつ上記ＣＡＤデータにおける部品の取付状態が異なっている場合に、この取付状態が異なっていることを示す識別子を付与するように構成されたことを特徴とする請求項１に記載のＣＡＤデータ管理システム。
【発明の詳細な説明】
【技術分野】
【０００１】
本発明は、車両用のＣＡＤデータを管理するＣＡＤデータ管理システムに関するものである。
【背景技術】
【０００２】
従来、下記特許文献１に示されるように、製品の構成をＣＡＤ図面用にデータ化したＣＡＤデータと、このＣＡＤデータに対応する製品構成の名称を表示する表示用データとをツリー状に階層化して管理する製品データ管理システムにおいて、上記表示用データのアイコンをツリー状に階層化する際に、この表示用データのアイコンを上記ＣＡＤデータのアイコンよりも上位の階層に配置して表示させるように構成することにより、表示用データへのアクセスを容易化して、製品構成の閲覧性を向上させることが行われている。
【特許文献１】特開２００３−６２４２号公報
【発明の開示】
【発明が解決しようとする課題】
【０００３】
上記特許文献１に開示された製品データ管理システムにおいて、上記表示用データに基づいてＣＡＤデータからなる図面を読み出して表示させ得るようにするためには、製品の企画または設計等のために使用されるＣＡＤデータの部品構成と、部品の発注または在庫管理等に使用される表示用データ（部品管理データ）とを正確に対応させて適正に階層化する必要があり、この作業が繁雑であるという問題がある。
【０００４】
例えば、製品に使用される部品を設計する場合には、この部品に付属したボルトおよびナット等からなる付属部品を一体化したＣＡＤデータの作成が行われるのに対し、上記表示用データに基づく部品管理を容易に行い得るようにするために、上記設計部品と付属品とを別々に分類するとともに、管理することが一般的に行われている。したがって、上記ＣＡＤデータと表示用データとを正確に対応させるためには、新たに部品を設計し、あるいは部品の設計変更を行う度に、当該部品を単体として分類した新たなＣＡＤデータのアイコンに加えて、上記付属品を有する組品としてのＣＡＤデータのアイコンを作成する必要があり、表示用データが複雑に階層化されることによって部品の管理作業が煩雑になることが避けられないという問題がある。
【０００５】
また、上記表示用データにおいて、同一分類として識別されている部品を、製品の複数個所に使用し、あるいは各製品毎に異なる位置に取り付ける場合等には、それぞれ個別のＣＡＤデータが作成される度に、これらのＣＡＤデータを正確に認識して読み出すことができるようにするため、上記部品の使用個所および取付状態等に対応した複数のアイコンを有する表示データを新たに作成し直す必要があり、上記アイコンがさらに複雑に階層化されることが避けられないという問題があった。
【０００６】
本発明は、上記の問題点に鑑みてなされたものであり、簡単な構成で部品構成の管理等を容易に行うことができるＣＡＤデータ管理システムを提供することを目的としている。
【課題を解決するための手段】
【０００７】
請求項１に係る発明は、車両用のＣＡＤデータを管理するＣＡＤデータ管理システムにおいて、車両の部品構成を管理するための部品管理データに部品識別番号を付与する部品識別番号付与手段と、この部品識別番号が付与された部品構成に対応したＣＡＤデータに図面識別番号を付与する図面識別番号付与手段と、上記図面識別番号が付与されたＣＡＤデータを記憶する記憶手段と、上記ＣＡＤデータの読出操作が行われた場合に上記記憶手段から上記図面識別番号が付与されたＣＡＤデータを読み出して表示手段に表示させる制御手段とを有し、上記図面識別番号付与手段は、図面識別番号が付与されたＣＡＤデータに含まれる部品構成と、部品識別番号が付与された部品管理データに含まれる部品構成とが一対一で対応しているか否かを示す識別子を上記図面識別番号に従属させて付与するように構成されたものである。
【０００８】
請求項２に係る発明は、上記請求項１記載のＣＡＤデータ管理システムにおいて、ＣＡＤデータに含まれる部品構成と、部品管理データに含まれる部品構成とが一致している場合に、これらの構成部品が一致していることを示す識別子を上記図面識別番号付与手段により付与するように構成されたものである。
【０００９】
請求項３に係る発明は、上記請求項１に記載のＣＡＤデータ管理システムにおいて、ＣＡＤデータに含まれる部品構成が、部品管理データに含まれる部品構成に対して余分な部品を含んでいる場合に、この余分な部品を含んでいることを示す識別子を上記図面識別番号付与手段により付与するように構成されたものである。
【００１０】
請求項４に係る発明は、上記請求項１に記載のＣＡＤデータ管理システムにおいて、ＣＡＤデータに含まれる部品構成が、部品管理データに含まれる部品構成に対して不足部品を有している場合に、この不足部品を有していることを示す識別子を上記図面識別番号付与手段により付与するように構成されたものである。
【００１１】
請求項５に係る発明は、上記請求項３または４に記載のＣＡＤデータ管理システムにおいて、上記余分な部品または不足部品が、ボルト、ナット、クリップ、グロメットまたはハーネス等の規格化された小物部品からなるものである。
【００１２】
請求項６に係る発明は、上記請求項１に記載のＣＡＤデータ管理システムにおいて、上記図面識別番号付与手段は、ＣＡＤデータに含まれる部品構成と、部品管理データに含まれる部品構成とが一致し、かつ上記ＣＡＤデータにおける部品の取付状態が異なっている場合に、この取付状態が異なっていることを示す識別子を付与するように構成されたものである。
【発明の効果】
【００１３】
請求項１に係る発明によれば、操作者がＣＡＤ装置を使用して車両用部品を新たに設計し、または設計変更して新たなＣＡＤデータを作成する際等に、この設計変更等に対応した部品管理データの部品表を新に作成する等の繁雑な作業を要することなく、上記ＣＡＤデータに含まれる部品構成と、車両の部品構成を管理するための部品管理データに含まれる部品構成とが一対一で対応しているか否かを示す識別子を、図面識別番号に従属させて付与するだけで、このＣＡＤデータの図面識別番号と、これとは個別に作成された部品管理データの部品表とを相対応させることができる。したがって、上記部品管理データの部品表を見てＣＡＤデータを記憶手段から読み出して上記表示手段に表示させる際に、図面識別番号が付与されたＣＡＤデータに含まれる部品構成と部品識別番号が付与された部品管理データの部品構成とが一対一で対応しているか否かを上記識別子に基づいて正確に認識した上でＣＡＤデータを解析できる等の利点がある。
【００１４】
請求項２に係る発明によれば、上記ＣＡＤデータに付与された図面識別番号の識別子に基づき、ＣＡＤデータに含まれる部品構成と、部品識別番号が付与された部品管理データに含まれる部品構成とが一対一で対応していることを容易にかつ正確に確認できるという利点がある。
【００１５】
請求項３に係る発明によれば、ＣＡＤデータに含まれる部品構成が、部品管理データに含まれる部品構成に対して余分な部品を含んでいることを示す識別子を上記図面識別番号に従属させて付与するように構成したため、上記表示手段に表示された図面識別番号の識別子を確認することにより、ＣＡＤデータに含まれる部品構成と、部品管理データに含まれる部品構成とが、如何なる関係にあるかを容易かつ適正に認識できるという利点がある。
【００１６】
請求項４に係る発明によれば、ＣＡＤデータに含まれる部品構成が、部品管理データに含まれる部品構成に対して不足部品を有していることを示す識別子を上記図面識別番号に従属させて付与するように構成したため、上記表示手段に表示された図面識別番号の識別子を確認することにより、ＣＡＤデータに含まれる部品構成と、部品管理データに含まれる部品構成とが、如何なる関係にあるかを容易かつ適正に認識できるという利点がある。
【００１７】
請求項５に係る発明によれば、上記小物部品と車両用部品とが別々に部品管理装置により管理され、かつ上記小物部品を含んだ車両用部品の設計がＣＡＤ装置により行われる場合、または上記小物部品と車両用部品とが購入部品として一体的に部品管理装置により管理され、かつ上記小物部品を除いた車両用部品の設計がＣＡＤ装置により行われる場合等に、これらのことを示す識別子を上記図面識別番号に従属させて付与するように構成したため、上記ＣＡＤデータの図面識別番号と、これとは個別に作成された部品管理データの部品表とを容易に対応させることができるという利点がある。
【００１８】
請求項６に係る発明によれば、ＣＡＤデータに含まれる部品構成と、部品管理データに含まれる部品構成とが一致し、かつ上記ＣＡＤデータにおける部品の取付状態が異なっている場合に、この取付状態が異なっていることを示す識別子を付与するように構成したため、ＣＡＤ装置を使用して車両用部品の取付状態を車種毎に設計変更してＣＡＤデータを作成する際等に、この設計変更等に対応した部品管理データの部品表を新に作成する等の繁雑な作業を要することなく、上記識別子に基づいて部品の取付状態が異なる複数のＣＡＤデータが存在していることを操作者に対して容易に認識させることができる。
【発明を実施するための最良の形態】
【００１９】
図１は、本発明に係るＣＡＤデータ管理システムの構成を示すブロック図であり、このＣＡＤデータ管理システムは、操作者の入力操作に応じて車両の部品構成を管理する部品管理装置Ａの部品管理データに部品識別番号を付与するキーボード等からなる部品識別番号付与手段１と、上記部品識別番号が付与された部品構成に対応したＣＡＤデータに図面識別番号を付与するＣＡＤ装置Ｂのキーボード等からなるからなる図面識別番号付与手段２と、上記図面識別番号が付与されたＣＡＤデータを記憶するＣＡＤ装置Ｂの記憶手段３と、上記ＣＡＤデータの読出操作が行われた場合に記憶手段３から上記図面識別番号が付与されたＣＡＤデータを読み出して液晶ディスプレイまたはＣＲＴ等からなる部品管理装置Ａの表示手段４に表示させる制御手段５とを有している。
【００２０】
上記部品識別番号付与手段１は、図２に示すように、例えば車両用部品であるコラムカバー組品に部品識別番号としてＢ００１−６２１Ｘを付与し、上記コラムカバー組品を構成するコラムカバーアッパ部材に部品識別番号としてＢ００１−６２２０を付与するとともに、コラムカバーロア部材に部品識別番号としてＢ００１−６２３１を付与する等により、ツリー状に階層化された部品表からなる部品管理データを作成する機能を有している。
【００２１】
また、上記図面識別番号付与手段２は、ＣＡＤ装置Ｂにより作成された三次元データからなるＣＡＤデータに含まれた部品構成と、上記部品識別番号が付与された部品管理データの部品構成とが一対一で対応しているか否かを示す識別子を有する図面識別番号を作成する機能、具体的には、上記部品管理データの部品識別番号に対応する識別番号の末尾に上記識別子が付与された図面識別番号を作成し、この図面識別番号を上記ＣＡＤデータに付与する機能を有している。
【００２２】
例えば、図３に示すように、上記ＣＡＤデータがコラムカバーアッパ部材６とその取付ボルト７とにより構成された三次元データである場合には、このＣＡＤデータに含まれる部品構成が、これに対応した部品管理データに含まれる部品構成（コラムカバーアッパ部材６）に対して余分な部品（取付ボルト７）を含んでいることを示す識別子Ｃ、つまりＣｏｎｔａｉｎ（多い）の略字が末尾に付与された図面識別番号、つまり上記部品管理データの部品識別番号Ｂ００１−６２２０と上記識別子Ｃとの組み合わせからなる図面識別番号Ｂ００１−６２２０  Ｃが上記図面識別番号付与手段２を使用して作成され、この図面識別番号Ｂ００１−６２２０  Ｃが上記ＣＡＤデータに付与されるように構成されている。
【００２３】
また、上記ＣＡＤデータに含まれる部品構成と、これに対応した部品管理データに含まれる部品構成とが一致している場合には、上記識別子としてＤＭＵ（等しい）の略字であるＤが末尾に付与された図面識別番号が作成され、上記ＣＡＤデータに含まれる部品構成が、これに対応した部品管理データに含まれる部品構成に対して不足部品を有している場合には、上記識別子としてＬａｃｋ（不足）の略字であるＬが末尾に付与された図面識別番号が作成され、この図面識別番号が上記ＣＡＤデータに付与されるようになっている。
【００２４】
上記制御手段５は、部品管理装置Ａの入力手段が操作されることにより、所定のＣＡＤデータを検索して上記記憶手段３から読み出すことが指示された場合に、上記識別子Ｃ，Ｄ，Ｌの何れかが末尾に付与された図面識別番号を記憶手段３から読み出して表示手段４に表示させる制御を実行するように構成されている。このために操作者は、表示手段４に表示された上記図面識別番号の末尾に付与された識別子に基づき、ＣＡＤデータに含まれた部品構成と、上記部品識別番号が付与された部品管理データの部品構成とが正確に対応しているか否かを認識した上で、上記部品管理データの部品表を見ながら、必要な部品構成のＣＡＤデータを読み出して上記表示手段４に表示させることができる。
【００２５】
例えば、図２に示すように、表示手段４に表示されたツリー状の部品表からなる部品管理データの部品識別番号Ｂ００１−６２２０をクリックしてコラムカバーアッパ部材６のＣＡＤデータを表示手段４に表示させることを指示する操作が行われた場合には、上記識別子Ｃが末尾に付与された図面識別番号Ｂ００１−６２２０  Ｃが上記表示手段４に表示されるため（図３参照）、上記図面識別番号Ｂ００１−６２２０  Ｃの末尾に付与された識別子Ｃを見て操作者は、上記コラムカバーアッパ部材６のＣＡＤデータに、取付ボルト等の余分な部品が含まれていることを容易に認識することができる。
【００２６】
上記のように車両の部品構成を管理するための部品管理データに部品識別番号を付与する部品識別番号付与手段１と、この部品識別番号が付与された部品構成に対応したＣＡＤデータに図面識別番号を付与する図面識別番号付与手段２と、上記図面識別番号が付与されたＣＡＤデータを記憶する記憶手段３と、上記ＣＡＤデータの読出操作が行われた場合に上記記憶手段３から上記図面識別番号が付与されたＣＡＤデータを読み出して表示手段４に表示させる制御手段５とを設け、上記図面識別番号付与手段２により、図面識別番号が付与されたＣＡＤデータに含まれる部品構成と、部品識別番号が付与された部品管理データに含まれる部品構成とが一対一で対応しているか否かを示す識別子を上記図面識別番号に従属させて付与するように構成したため、簡単な構成で部品管理データとＣＡＤデータとの作成を容易に行うことができるという利点がある。
【００２７】
すなわち、操作者がＣＡＤ装置Ｂを使用して車両用部品を新たに設計し、または設計変更して新たなＣＡＤデータを作成する際等に、上記ＣＡＤデータに含まれる部品構成と、車両の部品構成を管理するための部品管理データに含まれる部品構成とが一対一で対応しているか否かを判別し、その判別結果に対応した識別子が付与された図面識別番号を上記ＣＡＤデータに付与するだけで、上記設計変更等に対応した部品管理データの部品表を新に作成する等の繁雑な作業を要することなく、上記ＣＡＤデータの図面識別番号と、これとは個別に作成された部品管理データの部品表とを相対応させることができる。したがって、上記部品管理データの部品表を見てＣＡＤデータを記憶手段３から読み出して上記表示手段４に表示させる際に、図面識別番号が付与されたＣＡＤデータに含まれる部品構成と部品識別番号が付与された部品管理データの部品構成とが一対一で対応しているか否かを上記識別子に基づいて正確に認識した上でＣＡＤデータの解析等を行うことができる。
【００２８】
例えば、上記実施形態では、ＣＡＤデータに含まれる部品構成が、部品管理データに含まれる部品構成に対して取付ボルト等の余分な部品を含んでいる場合に、上記図面識別番号付与手段２によりＣｏｎｔａｉｎ（多い）の略字である識別子Ｃが末尾に付与された図面識別番号を作成して上記ＣＡＤデータに付与し、この図面識別番号が付与されたＣＡＤデータを表示手段４に表示させるように構成したため、この表示手段４に表示された図面識別番号の識別子に基づいて上記ＣＡＤデータに含まれる構成部品が上記余分な部品を含んでいることを認識した上で、表示手段４に表示されたＣＡＤデータを視認することにより、いかなる部品が余分に含まれているのかを上記ＣＡＤデータに基づいて容易かつ正確に認識できるという利点がある。
【００２９】
また、上記実施形態に示すように、ＣＡＤデータに含まれる部品構成と、部品管理データに含まれる部品構成とが一致している場合には、図面識別番号付与手段２によりＤＭＵ（等しい）の略字である識別子Ｄを上記図面識別番号に従属させて付与し、かつＣＡＤデータに含まれる部品構成が、部品管理データに含まれる部品構成に対して不足部品を有している場合には、図面識別番号付与手段２によりＬａｃｋ（不足）の略字である識別子Ｌを上記図面識別番号に従属させて付与するように構成すれば、上記表示手段４に表示された図面識別番号の識別子を確認することにより、ＣＡＤデータに含まれる部品構成と、部品管理データに含まれる部品構成とが、如何なる関係にあるかを容易かつ適正に認識できるという利点がある。
【００３０】
上記ＣＡＤデータに含まれる余分な部品、または不足部品としては、ボルト、ナット、クリップ、グロメットまたはハーネス等の規格化された小物部品が考えられ、上記図面識別番号が付与されたＣＡＤデータに含まれる部品構成と、部品識別番号が付与された部品管理データに含まれる部品構成とを比較して、上記ＣＡＤデータにこれらの小物部品が余分に含まれ、あるいは不足している場合に限り、上記識別子ＤまたはＬを図面識別番号に付与するように構成することが望ましい。
【００３１】
すなわち、上記実施形態に示すように、部品管理装置Ａにおいて、上記小物部品と、この小物部品が取り付けられる車体部品等とが個別に管理されるとともに、これらが上記ＣＡＤ装置Ｂにおいて一体的に設計される場合には、上記ＣＡＤデータに含まれる部品構成と部品管理データの部品構成とが一対一で対応しないという事態が生じることが避けられない。また、上記小物部品と車両用部品とが購入部品として一体的に上記部品管理装置Ａにより管理され、かつ上記小物部品を除いた車両用部品の設計がＣＡＤ装置Ｂにより行われる場合においても、上記ＣＡＤデータに含まれる部品構成と部品管理データの部品構成とが一対一で対応しないという事態が生じる。このような場合に、上記図面識別番号付与手段２により、図面識別番号が付与されたＣＡＤデータに含まれる部品構成と、部品識別番号が付与された部品管理データに含まれる部品構成とが一対一で対応していないことを示す識別子を上記図面識別番号に従属させて付与するように構成すれば、このＣＡＤデータの図面識別番号を、これとは個別に作成された部品管理データの部品表と容易に対応させることができるという利点がある。
【００３２】
なお、上記ＣＡＤデータに含まれる部品構成と、部品管理データに含まれる部品構成とが一致している場合であっても、上記ＣＡＤデータにおける部品の取付状態が異なっている場合に、この取付状態が異なっていることを示す識別子を上記図面識別番号付与手段２により、上記図面識別番号に従属させて付与するように構成してもよい。例えば、同一タイプのエンジン本体が、ある車種では縦置き状態でエンジンルーム内に配設されるとともに、他の車種では横置き状態でエンジンルーム内に配設されるような場合には、ＣＡＤ装置Ｂにおいて上記エンジン本体の取付状態に応じた設計が行われるので、同一タイプのエンジン本体であっても、異なるＣＡＤデータが作成されることになる。
【００３３】
このため、部品識別番号付与手段１により上記エンジン本体の部品管理番号として、例えばＬＸＸＸ−０２００が付与されている場合に、図４に示すように、図面識別番号付与手段２によりエンジンが縦置き状態でエンジンルーム内に配設されていることを示す識別子Ｂ００、またはエンジンが横置き状態でエンジンルーム内に配設されていることを示す識別子Ｂ０Ａが末尾に付与された図面識別番号、つまり上記部品管理データの部品識別番号ＢＬＸＸＸ−０２００と、上記識別子Ｂ００またはＢ０Ａとの組み合わせからなる図面識別番号ＬＸＸＸ−０２００  Ｂ００、またはＬＸＸＸ−０２００  Ｂ０Ａを、上記図面識別番号付与手段２により作成し、この図面識別番号を上記ＣＡＤデータに付与することが好ましい。
【００３４】
上記のようにＣＡＤデータに含まれる部品構成と、部品管理データに含まれる部品構成とが一致し、かつ上記ＣＡＤデータにおける部品の取付状態が異なっている場合に、上記図面識別番号付与手段２により、この取付状態が異なっていることを示す識別子を記図面識別番号の末尾に従属させて付与するように構成した場合には、ＣＡＤ装置Ｂを使用して車両用部品の取付状態を車種毎に設計変更してＣＡＤデータを作成する際等に、この設計変更等に対応した部品管理データの部品表を新に作成する等の繁雑な作業を要することなく、部品の取付状態が異なる複数のＣＡＤデータが存在していることを上記図面識別番号の識別子に基づいて容易に認識できるという利点がある。
【図面の簡単な説明】
【００３５】
【図１】本発明に係るＣＡＤデータ管理システムの実施形態を示すブロック図である。
【図２】部品管理データの一例を示す説明図である。
【図３】表示手段に表示されたＣＡＤデータの一例を示す説明図である。
【図４】部品識別番号と図面識別番号との対応関係を示す説明図である。
【符号の説明】
【００３６】
１  部品識別番号入力手段
２  図面識別番号入力手段
３  記憶手段
４  表示手段
５  制御手段
【図１】
0004760519.tif 000002
【図２】
0004760519.tif 000003
【図３】
0004760519.tif 000004
【図４】
0004760519.tif 000005